(57)【特許請求の範囲】
【請求項１】
フィールド上に配置された対象物をフィールドから落下させることによって、対象物を獲得することが可能なゲームに用いられる対象物供給装置において、紐状部材を引張ることによって開口するくす玉状に形成された対象物収納可能な収納体と、前記フィールド上に配置され、フィールドから落下したときに前記紐状部材を引張り前記収納体を開口させるように紐状部材に連結された錘部材とを有し、
前記収納体が開口したときに収納体内の対象物を所定方向に落下するように規制するガイド部材を、前記収納体内に設けたことを特徴とする対象物供給装置。
【請求項２】
フィールド上に配置された対象物を所定の領域に移動させることによって、対象物を獲得することが可能なゲームに用いられる対象物供給装置において、くす玉状に開口可能に形成された対象物収納可能な収納体と、前記収納体内に設けられ、収納体が開口したときに収納体内の対象物を所定方向に落下するように規制するガイド部材とを有することを特徴とする対象物供給装置。
【請求項３】
前記ガイド部材は、筒状体であることを特徴とする請求項１又は２記載の対象物供給装置。
【請求項４】
前記ガイド部材の開口部の少なくとも一部を覆う閉塞部材を設けたことを特徴とする請求項３記載の対象物供給装置。
【請求項５】
前記ガイド部材は、前記収納体の開口軸近傍に吊り下げられて、収納体内に設けられていることを特徴とする請求項１乃至４の何れか１項に記載の対象物供給装置。
【発明の詳細な説明】
【０００１】
【発明の属する技術分野】
本発明は、フィールド上に配置された対象物を所定の領域に移動させることによって、対象物を獲得することが可能なゲームに用いられる対象物供給装置に関する。
【０００２】
【従来の技術】
従来、固定テーブル上の景品を押し出し部材によって押し、固定テーブル上の景品を獲得口に落とすことによりプレーヤーが景品を獲得するゲーム装置、いわゆるプッシャー型のゲーム装置では、固定テーブルの上面が平らに形成されているため、固定テーブル上には、安定しない物を置くことができなかった。
【０００３】
しかし、多種多様な景品を使用したいという要望が多かったため、この要望に答えるべく、本出願人は、特開２００１‐２９６４４号に示すように、多種多様な景品を収納できるバケツ状の景品貯留部を景品獲得口近傍に設置し、この景品貯留部を傾けるための紐状部材をこれに連結し、さらに、この紐状部材を引張るための錘部材を固定テーブル上に配置するようにしたゲーム装置を提案している。
【０００４】
このゲーム装置は、固定テーブル上に配置された錘部材を景品獲得口に落とすことによって景品貯留部を傾け、この中に収納された景品を景品獲得口に落とすようにしたゲーム装置であって、多種多様な景品を用いることが可能である。
【０００５】
【発明が解決しようとする課題】
しかし、前記ゲーム装置において、転がり易い球状の景品を景品貯留部に貯留した場合であっても、景品獲得口に向かって傾いた景品貯留部内に景品が残ってしまうという問題があった。
【０００６】
また、景品が乱雑な状態で景品貯留部内に入っていることが多く、景品の配置によっては、景品貯留部の重心位置が変化し錘部材が固定テーブルから落下しても傾く角度が小さく、景品貯留部に貯留された景品の全てが景品獲得口に落下しなかったり、また景品の形状や大きさ及び材質によっては景品貯留部が傾いても景品が景品貯留部に引っかかり、景品貯留部内に景品が残ってしまうという問題があった。
【０００７】
本発明は、以上のような課題に鑑みてなされたものであり、その目的とするところは、供給しようとする対象物の形状、大きさ、材質等に制限が無く、かつ、供給後は景品貯留部（収納体）内に対象物が残留することが無いうえに、複数個の対象物を拡散させること無く所定の領域に確実に供給することができる対象物供給装置を提供することにある。
【０００８】
【課題を解決するための手段】
上記課題を解決するために、請求項１に記載の発明は、フィールド上に配置された対象物をフィールドから落下させることによって、対象物を獲得することが可能なゲームに用いられる対象物供給装置において、紐状部材を引張ることによって開口するくす玉状に形成された対象物収納可能な収納体と、前記フィールド上に配置され、フィールドから落下したときに前記紐状部材を引張り前記収納体を開口させるように紐状部材に連結された錘部材とを有し、前記収納体が開口したときに収納体内の対象物を所定方向に落下するように規制するガイド部材を、収納体内に設けたことを特徴とする。
【０００９】
また、請求項２に記載の発明は、フィールド上に配置された対象物を所定の領域に移動させることによって、対象物を獲得することが可能なゲームに用いられる対象物供給装置において、くす玉状に開口可能に形成された対象物収納可能な収納体と、前記収納体内に設けられ、収納体が開口したときに収納体内の対象物を所定方向に落下するように規制するガイド部材とを有することを特徴とする。
【００１０】
さらに、前記ガイド部材を筒状体としたり、前記ガイド部材の開口部の少なくとも一部を覆う閉塞部材を設けたりすると良い。
【００１１】
また、前記ガイド部材を前記収納体の開口軸近傍に吊り下げ、収納体内に設けると効果的である。
【００１２】
【発明の実施の形態】
以下、図面を用いて、本発明の実施形態について説明する。
図１には、本発明の対象物供給装置が配置されているショベル型の景品獲得ゲーム装置の一実施形態を示している。
【００１３】
図に示すように、本実施形態の対象物供給装置１は、対象物２（本実施の形態においては景品、以下、景品２という）を収納・排出できるくす玉状の収納体３と、収納体３をくす玉のように開口するための開口手段である紐状部材４及び錘部材５とで構成され、収納体３を紐状部材４によってゲーム空間内に吊り下げ、錘部材５をゲーム装置のフィールド上に配置することによって利用される。
なお、対象物は、景品の他、メダルなどゲームに必要な物品やゲームに供する物品など本実施の形態に限定されるものではない。
【００１４】
図２等に示されるように、収納体３は、２個の中空半球状体３１，３２の端部を連結手段３４によって連結し、更に中空半球状体の開口縁を閉口手段３６によって重ね合わせることで、球状を保持できるように形成されている。
【００１５】
中空半球状体３１，３２は、同一形状で内部を見ることができるように透明なアクリル材で略中空半球状に形成されるが、連結手段３４を固定する連結端部３１ａ，３２ａは、連結手段３４を固定し易いように平らに形成され、さらに、収納体３をゲーム空間内に吊り下げられるように、２個の中空半球状体３１，３２を重ね合わせた状態の上端中心から等距離離れた四方向位置に、吊下紐６を取りつけるための孔３１ｂ，３１ｂ，３２ｂ，３２ｂが設けられている。
なお、吊下紐６の中央部にはフック６１が取り付けられており、このフック６１によってゲーム空間内の天井部（図示省略）に取り付けられる。
【００１６】
連結手段３４は、蝶番であり、回動軸３４ａを中心に回動する固定片３４ｂ，３４ｂを、各中空半球状体の連結端部３１ａ，３２ａにボルト３４ｃ及びナット３４ｄによって固定することによって、２個の中空半球状体３１，３２を開口可能に連結している。
【００１７】
閉口手段３６は、図５に示すように、略環状の係止部３７ａを有する係止部材３７と、係止部３７ａを引掛ける係合部３８ａを有する係合部材３８とで構成され、係止部材３７と係合部材３８は、図２などに示すように、収納体３の連結端部３１ａ，３２ａと対面する各端部に、係止部３７ａと係合部３８ａが係合可能にボルト及びナットによって固定されている。更に、係止部３７ａの自由端には錘部材５を連結するための紐状部材４が連結されている。この係止部３７ａは、係合部３８ａとの係合状態において係止方向に付勢されており、係止部３７ａの自重及び紐状部材４の重さに抗して係合状態を保つことができる。
【００１８】
また、収納体３には、収納体３の開口に伴い落下する景品２の落下方向を一定方向に規制するためのガイド部材７が配設されている。このガイド部材７は、透明素材で形成された円筒状体であって、閉じた収納体３内に収まる大きさに形成され、更に、図４において上方部分の開口中心から四方４箇所に吊下紐７１，７２を取りつけるための孔７ａが設けられ、これらの孔７ａに吊下紐７１，７２の一端が連結されている。そして、この吊下紐７１，７２の他端を、中空半球体３ａ，３ｂに連結手段３４を固定するためのボルト３４ｃに、ナット３４ｄを用いて連結することによって、収納体３内にガイド部材７を吊下げている。
【００１９】
さらに、図５に示すように、同一中空半球状体に連結される２本の吊下紐７１，７１，７２，７２に跨って、薄板状の閉塞部材８，８が取り付けられている。この閉塞部材８は、吊下紐７１，７１，７２，７２間の距離を保ちガイド部材７の回転を防止する機能に加えて、ガイド部材７を逆さにした場合に、図５に示すようにガイド部材７の吊下紐連結側の開口部を覆う機能を有している。
【００２０】
次に、図１を用いて、上述した対象物供給装置１を配置したショベル型の景品獲得ゲーム装置の一実施形態について説明する。
図に示すゲーム装置１００は、不透明なハウジング本体１１２と、ハウジング本体１１２上方のゲーム空間１１６を囲む透明窓１１４とで構成されるハウジング１１０を有し、ゲーム空間１１６内には、ハウジング本体１１２の上面中央部に横長の仕切台１４８が設けられ、仕切台１４８上には、ハウジング本体１１２の正面に向かってショベルロボット１２０が配置され、仕切台１４８の周囲には、縫いぐるみやチョコレート等の各種景品をエンドレスで搬送する横長の略長方形状をした搬送台１１８が設けられている。
【００２１】
ショベルロボット１２０の両側には、搬送台１１８上を搬送される景品拾い上げ用の一対のショベルアーム１２２，１２２が設けられ、さらに、一対のショベルアーム１２２，１２２の外方に隣接して景品押出機構１３０，１３０が設けられ、景品押出機構１３０，１３０の手前側（景品押出し方向）には、景品落下口１４４が設けられている。
【００２２】
景品押出機構１３０は、景品落下口１４４に落下させる景品が貯留されるフィールド１３２と、このフィールド１３２上を所定の範囲で前進後退の往復移動するスライドテーブル１３４と、ショベルアーム１２２から落とされた景品をスライドテーブル１３４上に導く傾斜板１３６と、スライドテーブル１３４の後方に設けられた景品押出部として機能するバックウオール１３８とで構成されている。
【００２３】
ここで、ショベルアーム１２２は、景品の拾い上げ動作後、拾い上げた景品を傾斜板１３６上に落下させる動作を行うため、景品の拾い上げに成功した場合は、拾い上げられた景品が傾斜板１３６からスライドテーブル１３４上まで転がり落ち、スライドテーブル１３４と共に往復移動することになる。そして、拾い上げられた景品がスライドテーブル１３４の奥側に落下した場合、スライドテーブル１３４がバックウオール１３８に向かって移動している間、バックウオール１３８によって進行が妨げられ、スライドテーブル１３４に対し相対的にバックウオール１３８から離れる方向、すなわち、景品落下口１４４に向かって移動する。
【００２４】
さらに、ショベルアーム１２２によって次々と別の景品がスライドテーブル１３４上に運ばれると、順次前述した作業が繰り返して行われ、スライドテーブル１３４上に載った景品が徐々に前方の景品落下口１４４側へ移動し、スライドテーブル１３４からフィールド１３２上に落下する。またフィールド１３２上に景品が溜まると、フィールド１３２上の景品がスライドテーブル１３４に押出され、フィールド１３２上から景品落下口１４４に落下する。このようにして景品落下口１４４に落とすことができた景品は、景品落下口１４４に連通されてハウジング本体１１２正面に設けられた取出口１４０から取出すことができる。
【００２５】
次に、本実施形態の対象物供給装置１の作用について説明する。
まず、収納体３内に景品２を収容するときは、収納体３を開口した状態で、ガイド部材７内に景品２を収納する。このように収納することによって、収納体３が開口状態であっても容易に景品２を多数収納することができ、かつ、収納体３を容易に閉口することができる。この際、収納体３内に、図示しない「おめでとう」と記載した垂れ幕や紐状の装飾などの装飾部材を収納する場合は、落下する景品２に干渉しないように、ガイド部材７の外、各中空半球状体３１，３２内に収納する。
【００２６】
更に、収納体３に景品２を収容するとき、収納体３を開口させ逆さにしガイド部材７を逆さにした状態で、図５に示すように、閉塞部材８，８でガイド部材７の開口部を塞ぐことによって、開口状態の収納体３から景品を落とすこと無く収納することができる。
【００２７】
次に、景品２を収納した収納体３を図１に示すようにゲーム装置１００内に配置し、フィールド１３２上に錘部材５を配置する。
プレーヤーがゲームを行い、フィールド１３２上に配置した錘部材５が、先述したフィールド１３２上の景品と同様にフィールド１３２から景品落下口１４４（本発明における所定領域）に落下（移動）すると、錘部材５の自重によって紐状部材４が引っ張られ、この紐状部材４が連結されている閉口手段３６の係止部３７ａが引っ張られ、係止部３７ａが係合部３８ａから外れて収納体３が開口し、収納体３内に収納された景品２が落下する。
【００２８】
景品２が落下する際、中空半球状体３１，３２に触れていた景品２には中空半球状体３１，３２が開口しようとする力が影響し、また、景品２同士の衝突などの影響により、景品２は拡散する方向に落下しようとするが、ガイド部材７に規制されて開口方向真下に向かって落下する。更に、装飾部材を収納していた場合には、景品２は、装飾部材に絡まることなく落下する。
【００２９】
また、ガイド部材７は、収納体３の開口軸（連結手段３４の回動軸３４ａ）近傍に吊り下げられるため、収納体３の開口動作の影響が少なく、これの開口動作によっても揺れ動くことがない。このため、景品２をガイド部材７の開口方向真下に落下させることができる。
【００３０】
上記対象物供給装置１をゲーム装置に用いることによって、複数個の対象物を拡散させること無く所定の領域に確実に供給することができ、かつ、収納体３には様々な形状、大きさ、材質等の景品を収納することができるので、既存のゲーム装置自体には使用できない景品も使用することができるようになり、運営者やプレーヤーの要求に答えることが可能となる。
【００３１】
さらに、収納体３内に「おめでとう」と記載した垂れ幕や紐状の装飾などの装飾部材を収納することによって、収納体３の開口を華やかに演出することができ、プレーヤーに景品獲得の喜びや達成感をより高めることができる。
【００３２】
また、モータ等の動力源が必要なく、対象物の制限は収納体３内に入る大きさということのみであるため、価格や維持費を安くすることができるうえに、既存のゲーム装置に容易に利用することができる。
【００３３】
また、収納体を開口させるためにゲームを行うといった景品等の対象物を獲得する目的以外の新たな動機付けをプレーヤーに与えることができる。
【図面の簡単な説明】
【図１】  本実施形態の対象物供給装置を配置したゲーム装置の一例を示す図である。
【図２】  本実施形態の対象物供給装置の一実施形態を示す図である。
【図３】  図２に示す対象物供給装置の側面図である。
【図４】  本実施形態の対象物供給装置の収納体が開口した状態を示す図である。
【図５】  本実施形態の対象物供給装置のガイド部材と閉塞部材との関係を示す図である。
【図６】  本実施形態の閉口手段を示す図である。
【符号の説明】
１  対象物供給装置
２  対象物（景品）
３  収納体
４  紐状部材
５  錘部材
６  ガイド部材
【図１】
0003935364.tif 000002
【図２】
0003935364.tif 000003
【図３】
0003935364.tif 000004
【図４】
0003935364.tif 000005
【図５】
0003935364.tif 000006
【図６】
0003935364.tif 000007